(57)【要約】【課題】計算機自動化制御中に不具合が発生した時、オペレータが関連したプラント構成機器状態の把握を早急に実施しなければならないケースにおいては、サブ画面内にて目的の自動化ロジック表示画面を表示し、操作前条件を探して表示させる必要があり多くの操作と時間を要するといった課題があった。【解決手段】制御対象物の自動化制御の内容を示す自動化制御表示を表示装置へ表示する機能を有する自動化制御の表示制御装置において、前記自動化制御に不具合が発生した際に、前記不具合に対応した自動化制御のロジック図を前記自動化制御表示に重ねて表示する機能を有することを特徴とする自動化制御の表示制御装置。【効果】自動化制御操作に係わる不具合が発生した場合、自動化制御表示画面と共に、ロジック画面が１台のＣＲＴ表示装置に併せて表示できることにより画面表示の操作性を向上している。【選択図】　図４
2004145770.tif 000002
【特許請求の範囲】
【請求項１】
制御対象物の自動化制御の内容を示す自動化制御表示を表示装置へ表示する機能を有する自動化制御の表示制御装置において、前記自動化制御に不具合が発生した際に、前記不具合に対応した自動化制御のロジック図を前記自動化制御表示に重ねて表示する機能を有することを特徴とする自動化制御の表示制御装置。
【請求項２】
制御対象物の自動化制御の内容を表示装置へ表示する自動化制御の表示制御方法において、前記自動化制御に不具合が発生した際に、前記不具合に対応した自動化制御のロジック図を前記自動化制御表示に重ねて表示することを特徴とする自動化制御の表示制御方法。
【請求項３】
請求項１に記載の自動化制御の表示制御装置において、制御対象物の自動化制御を妨げる不具合が発生した際に、オペレータから入力された前記不具合を、ロジック情報を読み出すコードに変換し、前記コードに対応したロジック情報が記憶される自動化制御情報記憶部から前記ロジック情報を抽出し、前記ロジック情報をロジック図として前記自動化制御表示に重ねて表示すると共に、前記不具合を特定するために識別表示する機能を有する自動化制御の表示制御装置。
【請求項４】
請求項１に記載の自動化制御の表示制御装置において、制御対象物の自動化制御を妨げる不具合が発生した際に、自動化制御の進行内容を示す自動化メッセージの状態変化を捕らえて不具合を抽出し、前記不具合をロジック情報を読み出すコードに変換し、前記コードに対応したロジック情報が記憶される自動化制御情報記憶部から前記ロジック情報を抽出し、前記ロジック情報をロジック図として前記自動化制御表示に重ねて表示すると共に、前記不具合を特定するために識別表示する機能を有する自動化制御の表示制御装置。
【請求項５】
請求項１，３又は４に記載の自動化制御の表示制御装置において、前記ロジック図を前記自動化制御表示に重ねて表示する機能は、前記重ねて表示する領域の前記ロジック図を移動させて前記重ねて表示する領域より大きいロジック図を表示する機能を有することを特徴とする自動化制御の表示制御装置。
【発明の詳細な説明】
【０００１】
【発明の属する技術分野】
本発明は、不具合をロジック図として表示が可能である計算機自動化システムにおける自動化制御の表示制御装置及び方法に関する。
【０００２】
【従来の技術】
一般に、計算機自動化制御において、その進行を妨げる不具合が発生した時、オペレータは対象となる操作端のデータ及び関連したプラント構成機器の状態を把握した上で即座に適切な判断を下す必要がある。
【０００３】
しかしながら、一般的な画面表示装置では、その表示領域には限度があり関連したプラント構成機器の状態を確認するため、１台の画面表示装置で画面を切替えて表示したり、複数台の画面表示装置に分けて表示する等の方法がとられていた（特許文献１参照）。
【０００４】
例えば、図６に示すように、画面上部に計算機自動化制御をブレークポイント毎に区切って状態表示する自動化制御表示５１を表示し、画面下部には運転操作の進行内容を直接的にオペレータに知らせる自動化メッセージ表示５２を表示する自動化制御の表示画面５０と、計算機自動操作項目のタイミング条件，操作前条件及び操作完了条件等の条件項目６２の状態表示及び、ロジック図（論理図）６３を表示させる自動化ロジック図表示画面７０を２台の画面表示装置に表示し、自動化運転時の各操作端の状態をオペレータに提供している。
【０００５】
しかし、以上の方法では、例えば、計算機自動化制御中に１つの操作端制御の操作前条件が不具合となり関連したプラント構成機器の状態を把握する必要が生じた場合、現在表示している自動化制御の表示画面５０を一旦取り消し、新たに自動化ロジック図表示画面７０を表示要求し、目的の操作前条件を探して表示させる必要があり、速やかな対応がとれなかった。
【０００６】
また、画面表示については、マルチウィンドウに関する技術がある（特許文献２参照）。
【０００７】
この従来技術は、画面全体の一部をメイン画面とし、そこに全体図である自動化制御表示画面を表示する一方で残りの画面をサブ画面としてプラント監視画面を表示し、メイン−サブ画面を１台のＣＲＴ表示装置に表示することにより視認性及び操作性を向上している。
【０００８】
【特許文献１】
特開平６−１０２９２６号公報
【特許文献２】
特開平５−２３８２号公報
【０００９】
【発明が解決しようとする課題】
以上のように、特開平６−１０２９２６号公報に記載されている従来技術では、ロジック図は別画面表示としており、設備についての考慮がされていない。
【００１０】
そして、特開平５−２３８２号公報に記載されている従来技術では、不具合とロジック図のウィンドウのつながりについて考慮されておらず、計算機自動化制御中に不具合が発生した時、オペレータが関連したプラント構成機器状態の把握を早急に実施しなければならないケースにおいては、サブ画面内にて目的の自動化ロジック表示画面を表示し、操作前条件を探して表示させる必要があり多くの操作と時間を要するといった課題があった。
【００１１】
そこで、本発明は、従来技術以上に画面表示の操作性を向上させることができる自動化制御の表示制御装置及び方法を提供することを目的とする。
【００１２】
【課題を解決するための手段】
上記課題を解決するため、制御対象物の自動化制御の内容を示す自動化制御表示を表示装置へ表示する機能を有する自動化制御の表示制御装置において、前記自動化制御に不具合が発生した際に、前記不具合に対応した自動化制御のロジック図を前記自動化制御表示に重ねて表示する機能を有することを特徴とする自動化制御の表示制御装置としたものである。
【００１３】
【発明の実施の形態】
以下、本発明に係わる、自動化制御の表示制御装置について、図面を用いて説明する。
【００１４】
本実施例の自動化制御の表示制御装置を、図１の機能ブロック図に示すように、表示画面を有する表示装置１と、この表示装置１の表示制御を行う表示制御装置３及び表示制御装置３に対してオペレータの指示等を入力するための入力装置２を備えている。
【００１５】
表示装置１には、図３に示すように、その表示画面５０に表示する内容として、制御対象物をブレークポイント毎に区切って状態表示自動化制御表示５１と、自動化制御と関連した内容を表す自動化メッセージ表示５２を表示している基本的な表示画面と、図４に示すように、その基本的な表示画面である自動化制御表示５１と自動化メッセージ表示５２が表示されている状態で、ロジック図（論理図）をウィンドウで表示したロジック表示６１を表示する。
【００１６】
表示制御装置３は、図１に示すように、入力装置２からの入力事象内容を認識する表示画面選択部１１と、表示画面選択部１１で認識された入力データに従って自動化制御表示５１の表示を行う表示画面編集・出力部１２と、自動化メッセージの状態変化を捕らえ該当する不具合を抽出する自動化メッセージ監視部１３と、自動化制御表示を編集・出力するための各種情報を記憶している自動化制御情報記憶部２１とを有している。
【００１７】
尚、図１に記載してないが、表示画面選択部１１には、処理メニューの表示を制御するメニュー表示制御部も有している。
【００１８】
表示画面選択部１１は、自動化制御画面の表示指示を認識する自動化制御画面選択部１１Ａと、ロジックの表示指示及びロジック画面のスクロール指示を認識するロジック画面選択部１１Ｂと、ロジック画面の自動／手動表示モードを切替えるロジック画面表示モード選択部１１Ｃを有している。
【００１９】
表示画面編集・出力部１２は、自動化制御画面の表示情報を編集して表示装置１へ出力する自動化制御画面編集・出力部１２Ａと、自動化メッセージの表示情報を編集して表示装置１へ出力する自動化メッセージ編集・出力部１２Ｂを有している。
【００２０】
さらに、ロジックのウィンドウ表示情報を編集して表示装置１へ出力するロジック画面編集・出力部１２Ｃと、ロジックのウィンドウ表示のスクロール表示を制御するロジック画面スクロール表示編集・出力部１２Ｄとを有している。
【００２１】
また、自動化制御情報記憶部２１は、自動化メッセージの表示名称，状態変化データ（以下、総称して自動化メッセージ情報とする）が記憶されている自動化メッセージ情報２２と、ロジック図６３を表示するための操作前ロジック情報
２３及び操作完了ロジック情報２４とを有している。
【００２２】
本実施例において、画面表示手段は表示装置１と表示制御装置３で構成され、各指示手段は入力装置２及び表示画面選択部１１の諸機能を有して構成され、各表示画面の編集・出力手段はそれぞれ対応する表示画面編集・出力部１２を有して構成されている。また、本実施例において、各指示手段の一部を構成する入力装置２は、必ずしもマウスである必要は無く、この代わりに、キーボードやタッチパネル装置等を用いても良い。
【００２３】
次に、本実施例の自動化制御の表示制御装置の動作について、図１の機能ブロック図及び図２の処理フロー図を用いて説明する。
【００２４】
自動化制御の表示制御装置は、オペレータが入力装置２を操作し、自動化制御画面を要求することで実行される。その要求は、自動化制御画面選択部１１Ａにて、オペレータ要求判定部３１にてオペレータからの要求であることを認識し、次に表示要求画面判定部３２にて表示要求画面が自動化制御画面であることを認識すると、自動化制御画面編集・出力部１２Ａを起動し、自動化制御情報記憶部２１の自動化メッセージ情報２２より自動化制御画面データの編集処理を行う。次に、自動化メッセージ編集・出力部１２Ｂが起動され、同様に自動化制御情報記憶部２１の自動化メッセージ情報２２より自動化メッセージの編集処理を行い、２つの画面データの編集が完了すると、表示装置１へ画面データを出力して表示画面５０を表示することができる。
【００２５】
前記の表示画面５０において、自動化操作に係わる不具合が発生した時、対象となる操作端のデータ及び関連したプラント構成機器の状態を早急に把握し、即座に適切な判断を下す必要が生じた場合、ロジック図（論理図）のウィンドウ表示画面をオペレータの手動操作により表示するモードと、自動化メッセージ情報２２の状態変化データで自動的に表示するモードとを有している。
【００２６】
この自動／手動表示モードの切替え操作は、オペレータが入力装置２を操作し、ロジック画面表示モード選択部１１Ｃにて自動／手動を切替えることができる。
【００２７】
以下に手動表示モード選択時の操作を説明する。
【００２８】
手動表示モード選択時は、オペレータが入力装置２を操作し、ロジック画面を要求することで実行される。その要求は、ロジック画面選択部１１Ｂのオペレータ要求判定部３１にてオペレータからの要求であることを認識し、表示要求画面判定部３２にて表示要求画面がロジック画面であることを認識する。次に、ロジック要求判定部３３でロジック図画面表示化かスクロール表示かの判定を行い、ロジック図表示であることを認識すると、ロジック読出情報セット（ロジック表示）処理部３４でオペレータより入力された不具合からロジック情報読出しコードに変換し、パラメータ情報としてセットしロジック画面編集・出力部１２Ｃを起動する。
【００２９】
ロジック画面編集・出力部１２Ｃは、ロジック情報抽出処理部３５で前記のパラメータ情報より、操作前条件か操作完了条件かを判別し、自動化制御情報記憶部２１に記憶されている操作前ロジック情報２３または、操作完了ロジック情報２４より、該当するロジック情報を抽出する。次に、ロジック編集・出力処理部３６にてロジック画面の編集処理を行い、抽出したロジック情報より条件項目６２と、その条件の成立／不成立状況及び論理和／論理積等の記号を用いて図５に示すようなロジック図（論理図）６３の画面表示データを編集し、表示装置１へ出力することによりロジック表示６１を表示することができる。
【００３０】
以上のように、本実施例によれば、自動化制御画面とロジック画面が１台の
ＣＲＴ表示装置に併せて表示できるので、オペレータは、画面の切替え操作という煩わしさから開放される。また、ロジック図の詳細を知ることができると共に、その１項目が全体の何処に位置してどういう状況になっているのかも同時に把握することが可能となる。
【００３１】
以下に自動表示モード選択時の操作を説明する。
【００３２】
自動表示モード選択時は、表示画面５０において、自動化操作に係わる不具合が発生した場合、自動化メッセージ監視部１３は、自動表示モード判定部４１で自動表示モードであることを認識すると、自動化制御情報記憶部２１の自動化メッセージ情報２２より状態変化情報を求める処理部４２で処理し、その状態変化データに変化があると状態変化判定部で認識すると、ロジック読出情報セット（自動表示）処理部４４で状態変化データからロジック情報読出しコードに変換し、パラメータ情報としてセットしロジック画面編集・出力部１２Ｃを起動する。
【００３３】
ロジック画面編集・出力部１２Ｃは、ロジック情報抽出処理部３５で前記のパラメータ情報より、操作前条件か操作完了条件で不具合が発生したのかを判別し、自動化制御情報記憶部２１に記憶されている操作前ロジック情報２３または、操作完了ロジック情報２４より、該当するロジック情報を抽出する。次に、ロジック編集・出力処理部３６にてロジック画面の編集処理を行い、抽出したロジック情報より条件項目６２と、その条件の成立／不成立状況及び論理和／論理積等の記号を用いて図５に示すようなロジック図（論理図）６３の画面表示データを編集し、表示装置１へ出力することによりロジック表示６１を画面に表示することができる。
【００３４】
これにより、ロジックの自動表示モード選択時には、自動化操作に係わる不具合が発生した場合、関連したプラント構成機器の状態をロジック図（論理図）として自動的に表示されるので、オペレータは、自動化制御表示画面と自動化ロジック表示画面を切替えて監視するという煩わしさからも開放され、操作性は格段に改善され、問題を早期に解決することができる。
【００３５】
そして、自動化制御表示の一部に対してロジック図の表示領域を重ねて表示するので、別表示装置とする必要が無く、１台のＣＲＴ表示装置で表示することが可能となるので、ＣＲＴ表示装置が設置される制御室の省スペース化，ＣＲＴ表示装置の台数減によりコストダウンできるという効果を奏する。
【００３６】
また、前記のロジック図（論理図）のウィンドウ表示画面は、自動化制御情報記憶部２１に記憶されている操作前ロジック情報２３または、操作完了ロジック情報２４の情報量により、１ウィンドウ画面に表示しきれない場合がある。この場合、オペレータは、図５のスクロールバー６４，６５を操作することにより、ウィンドウ画面内のロジック図を上下・左右にスクロールさせ全ての論理図を表示することができる。
【００３７】
その要求は、ロジック画面選択部１１Ｂにて、オペレータ要求判定部３１にてオペレータからの要求であることを認識し、表示要求画面判定部３２にて表示要求画面がロジック画面であることを認識する。次に、ロジック要求判定部３３でスクロール表示であることを認識すると、ロジック読出情報セット（スクロール表示）処理部３７でオペレータより入力された不具合とスクロール情報からロジック情報読出しコードに変換し、パラメータ情報としてセットしロジック画面スクロール表示編集・出力部１２Ｄを起動する。ロジック画面ストローク表示編集・出力部１２Ｄは、ロジック情報抽出処理部３８で前記のパラメータ情報より、操作前条件か操作完了条件かを判別し、自動化制御情報記憶部２１に記憶されている操作前ロジック情報２３または、操作完了ロジック情報２４より、ロジック情報抽出処理部３８が該当するロジック情報を抽出する。次に、ロジック編集・出力処理部３９にてロジック画面の編集処理を行い、抽出したロジック情報より条件項目６２と、その条件の成立／不成立状況及び論理和／論理積等の記号を用いて図５に示すようなロジック図（論理図）６３の画面表示データを編集し、表示装置１へ出力することによりロジック表示６１を画面に表示することができる。これにより、ウィンドウ画面内を上下・左右にスクロールさせ、ロジック図表示領域内のロジック図を移動させることで全てのロジック図を表示することができる。
【００３８】
また、表示したロジック情報のうち不具合に関連する個所を色を変えて表示したり、強調表示する等して、不具合を特定する識別表示することもできる。
【００３９】
以上の様に、制御対象物の自動化制御の内容を表示装置へ表示する自動化制御の表示制御において、自動化制御に不具合が発生した際に、その不具合に対応した自動化制御のロジック図を自動化制御表示に重ねて表示することで、画面表示の操作性を向上させることができる。
【００４０】
【発明の効果】
本発明によれば、自動化制御画面表示中において、自動化制御操作に係わる不具合が発生した場合、自動化制御表示画面と共に、ロジック画面が１台のＣＲＴ表示装置に併せて表示できることにより画面表示の操作性を向上している。
【図面の簡単な説明】
【図１】自動化制御の表示制御装置の機能ブロック図である。
【図２】自動化制御の表示制御装置の処理フロー図である。
【図３】自動化制御表示中の画面を示す説明図である。
【図４】自動化制御及びロジック図表示中の画面を示す説明図である。
【図５】ロジック図表示中の詳細画面を示す説明図である。
【図６】従来技術の自動化制御及び自動化ロジックの画面を示す説明図である。
【符号の説明】
１…表示装置、２…入力装置、３…表示制御装置、１１…表示画面選択部、
１１Ａ…自動化制御画面選択部、１１Ｂ…ロジック画面選択部、１１Ｃ…ロジック画面表示モード選択部、１２…表示画面編集・出力部、１２Ａ…自動化制御画面編集・出力部、１２Ｂ…自動化メッセージ編集・出力部、１２Ｃ…ロジック画面編集・出力部、１２Ｄ…ロジック画面スクロール表示編集・出力部、１３…自動化メッセージ監視部、２１…自動化制御情報記憶部、２２…自動化メッセージ情報、２３…操作前ロジック情報、２４…操作完了ロジック情報、３１…オペレータ要求判定部、３２…表示要求画面判定部、３３…ロジック要求判定部、３４…ロジック読出情報セット（ロジック表示）処理部、３５…ロジック情報抽出処理部、３６…ロジック編集・出力処理部、３７…ロジック読出情報セット（スクロール表示）処理部、３８…ロジック情報抽出処理部、３９…ロジック編集・出力処理部、４１…自動表示モード判定部、４２…自動化メッセージ情報より状態変化情報を求める処理部、４３…状態変化判定部、４４…ロジック読出情報セット（自動表示）処理部、５０…表示画面、５１…自動化制御表示、５２…自動化メッセージ表示、６１…ロジック表示（ウィンドウ表示）、６２…条件項目、６３…ロジック図（論理図）、６４，６５…スクロールバー、７０…自動化ロジック図表示画面。
【図１】
2004145770.tif 000003
【図２】
2004145770.tif 000004
【図３】
2004145770.tif 000005
【図４】
2004145770.tif 000006
【図５】
2004145770.tif 000007
【図６】
2004145770.tif 000008